Podtech/llm-jp-corpus-v4-ja_patent huggingface dataset:
(57)【要約】      （修正有）【課題】うつ伏せに寝るときに、使用者の体形や好みによってうつ伏せに寝るための枕の使う方向を変え、肩峰（肩）で支えながら、頬をあてたり、額をあてたりできる枕を提供する。【解決手段】うつ伏せに寝るための枕の形状を凹形状にして、うつ伏せに寝るときに、使用者の体形や好みによってうつ伏せに寝るための枕の使う方向を変え、肩峰（肩）で支えながら、頬をあてる、または額をあてることができる構造とした。うつ伏せに寝るための枕の使う方向を変えることができるので、うつ伏せ状態で寝るときに、肩峰（肩）で支えれば胸の圧迫感もなく、頬をあてる事も、額をあてる事もできるようになるため、自由な体形でうつ伏せに寝ることができて、うつ伏せに寝た時の苦痛や不快感を取り除く効果が得られる。【選択図】図１
0003142895.tif 000002
【実用新案登録請求の範囲】
【請求項１】
［０００１］
うつ伏せ寝に用いる枕として、凹形状の構成からなる、うつ伏せに寝るための枕。
【考案の詳細な説明】
【技術分野】
【０００１】  本考案は、うつ伏せに寝るための枕構造である。
【考案の従来の技術】
【０００２】  従来より提案されている、うつ伏せに寝るための枕構造は各種各様のものがあるが、肩峰（肩）と頬や額をあてる凹形状の枕構造のものは提案されていなかった。
【考案の開示】
【考案が解決しようとする課題】
【０００３】  本考案は、うつ伏せ寝のときの事象、つまり、うつ伏せ寝時には、胸が圧迫されて苦しくなったり、顔が圧迫されたりする、そのため苦痛や不快感がある。
【課題を解決するための手段】
【０００４】  上述の課題を解決するために、本考案は、うつ伏せに寝るための枕の形状を凹形状にして、うつ伏せに寝るときに、使用者の体形や好みによって、うつ伏せに寝るための枕の使う方向を変え、肩峰（肩）で支え、頬をあてたり、額をあてたりできる構造とした。
【考案の効果】
【０００５】  上述のように本考案による枕構造であれば、うつ伏せ状態で寝たときに、肩峰（肩）で支えれば胸の圧迫感もなく（図２）（図３）、額をあてる事を好む場合は、うつ伏せに寝るための枕を縦に使用（図２）し、頬をあてる事を好む場合は、うつ伏せに寝るための枕を横に使用（図３）することで、自由な体形でうつ伏せに寝ることができ、うつ伏せに寝た時の苦痛や不快感を取り除く事ができる。
【考案を実施するための最良の形態】
【０００６】  本考案の、うつ伏せに寝るための枕を実施するにあたっては、使用者の体形、体格などに合わせた寸法、柔らかさ、弾性を持たせるのが好ましい。【０００７】  本考案の、うつ伏せに寝るための枕の材質、内容物については、何等限定されるものではないが、ウレタンあるいは発砲スチロール、羽類、植物殻、プラスチック粒、綿で形成することが好ましいものである。
【実施例】
【０００８】  以下、実施例を図に基づいて説明する。
図１において、うつ伏せに寝るための枕を、額をあてて使用した場合の立体図として示す。
凹形状の枕は使用者の体形に合わせた寸法として構成される。【０００９】額をあてて、うつ伏せに寝る際は、図２の通り、うつ伏せに寝るための枕を縦にして、額を（ａ）部にあて、左肩峰（肩）を（ｂ）部に右肩峰（肩）を（ｃ）部に載せて使用される。【００１０】頬をあてて、うつ伏せに寝る際は、図３の通り、うつ伏せに寝るための枕を横にして、頬を（ｄ）部にあて、左肩峰（肩）を（ｅ）部に右肩峰（肩）を（ｆ）部に載せて使用される。
【図面の簡単な説明】
【００１１】
【図１】本考案によるうつ伏せに寝るための枕の構造の立体図である。
【図２】肩峰（肩）と額をあてて使用した時のうつ伏せ寝の実施図である。
【図３】肩峰（肩）と頬をあてて使用した時のうつ伏せ寝の実施図である。
【図４】本考案によるうつ伏せに寝るための枕の構造の平面図である。
【符号の説明】
【００１２】（ａ）うつ伏せに寝るための枕を、縦に使用した時の額あて部
（ｂ）うつ伏せに寝るための枕を、縦に使用した時の左肩峰（肩）あて部
（ｃ）うつ伏せに寝るための枕を、縦に使用した時の右肩峰（肩）あて部
（ｄ）うつ伏せに寝るための枕を、横に使用した時の頬あて部
（ｅ）うつ伏せに寝るための枕を、横に使用した時の左肩峰（肩）あて部
（ｆ）うつ伏せに寝るための枕を、横に使用した時の右肩峰（肩）あて部
（符号は、うつ伏せに寝るための枕の縦横の向き、顔の向きにより変化する）
【図１】
0003142895.tif 000003
【図２】
0003142895.tif 000004
【図３】
0003142895.tif 000005
【図４】
0003142895.tif 000006
(57)【要約】      （修正有）【課題】既存のウキ止め用ゴムチューブを形状加工し、道糸とハリス（仕掛け用の糸）を切断せずに装着し、時間的、労働的負担を軽減する。【解決手段】既成のウキ止め用ゴムチューブを螺旋状に切れ込みを入れ形状加工する事により、付け忘れた場合や、ケミホタル（登録商標）やウキを後付けしたい場合に釣り糸を切断せずにすばやく装着することが可能になり、時間的、労働的負担の軽減に役立つ。【選択図】図１
0003142880.tif 000002
【実用新案登録請求の範囲】
【請求項１】
既成のウキ止め用ゴムチューブに切れ込みを入れて螺旋状に形状加工したウキ止め用ゴムチューブ
【考案の詳細な説明】
【技術分野】
【０００１】  本考案は、釣りの仕掛けに利用する螺旋状に形状加工したウキ止め用ゴムチューブに関するものである。
【背景技術】
【０００２】  既存のゴムチューブは円筒状であり、仕掛けを作る際に一緒に通さなければならず、付け忘れた場合や後から付けたい場合に、一度仕掛けを切って通し直さなければならない。
【考案の開示】
【考案が解決しようとする課題】
【０００３】  ゴムチューブを付け忘れた、又は後からケミホタル（登商）やウキを保持する為に付けたい場合、一度仕掛けを切って付け直さなければならず、もう一度仕掛けを結び直さなければならないという時間的、労働的負担がある。従って、ゴムチューブを螺旋状に加工することにより仕掛けを切らずに瞬時に装着することが可能になり前述の欠点を解決しようとするものである。
【課題を解決するための手段】
【０００４】  本考案は、既成のウキ止め用ゴムチューブに斜めに切れ込みを入れ、そこからくるくると螺旋状に切れ込みを入れていき、ウキ止め用ゴムチューブを螺旋状に加工する。
それを必要に応じて適当な長さに切断し、釣り糸にケミホタル（登商）やウキと同時に巻き付けて装着、ゴムの弾性効果による保持が出来る事により問題点を解決している。
【考案の効果】
【０００５】  上述の様に、ケミホタル（登商）やウキを保持するのは勿論、ウキ止め用ゴムチューブを螺旋状に加工してあるので仕掛けを切って結び直さなければならないという時間的、労働的負担を大幅に軽減するのに役立つ。
【考案を実施するための最良の形態】
【０００６】  適当な長さに切断した螺旋状に形状加工したウキ止め用ゴムチューブを、チューブの端の切れ込みから釣り糸を挟み込み、チューブを切れ込みに沿って回転させながら釣り糸に巻き付けて装着する。
釣り糸に装着した螺旋状のゴムチューブにケミホタル（登商）やウキを取り付けて使用する。
【図面の簡単な説明】
【０００７】
【図１】螺旋状に形状加工したウキ止め用ゴムチューブを示す斜視図である。
【図２】釣り糸に加工したウキ止め用ゴムチューブとケミホタル（登商）を装着した状態を示す図である。
【符号の説明】
【０００８】    １  ウキ止め用ゴムチューブ本体
２  形状加工した切れ込み線
３  ケミホタル（登商）
４  釣り糸
【図１】
0003142880.tif 000003
【図２】
0003142880.tif 000004
(57)【要約】      （修正有）【課題】保温・遮光等の目的で頭部まで毛布を被って就寝する場合の息苦しさを解消する通気用の穴の開いた毛布を提供する。【解決手段】毛布１を頭部まで被った際の口および鼻の位置に、口および鼻が露出する程度の通気のための穴２を施すことにより、息苦しさを解消できるようにした。保温や遮光等の目的で、毛布１を頭部まで被って就寝した場合、穴２により通気が可能であるため、呼吸が楽である。遮光目的に限って言えば、アイマスク等の着用も必要なくなる。【選択図】図１
0003142871.tif 000002
【実用新案登録請求の範囲】
【請求項１】
頭部まで被った際に口および鼻が露出できる穴の開いた毛布。
【考案の詳細な説明】
【技術分野】
【０００１】本考案は、頭部まで被った時に呼吸を楽にすることを目的に通気用の穴を施した毛布である。
【背景技術】
【０００２】従来、保温や遮光等の目的で頭部まで毛布を被って就寝する場合があったが、息苦しさを解消するための通気用の穴の開いた毛布はなかった。
【考案の開示】
【考案が解決しようとする課題】
【０００３】保温や遮光等の目的で頭部まで毛布を被って就寝する場合、若干の息苦しさが伴う。
本考案は、この課題を解消するためになされたものである。
【課題を解決するための手段】
【０００４】毛布１を頭部まで被った時の口および鼻の位置に、口および鼻が露出する程度の穴２を開ける。穴の形状については問わないが、幼児の事故防止のため、幼児の頭部が通過しない大きさ・形状が望ましい。
【考案の効果】
【０００５】保温や遮光等の目的で、本考案の毛布１を頭部まで被って就寝した場合、穴２により通気が可能であるため、呼吸が楽である。遮光目的に限って言えば、アイマスク等の着用も必要なくなる。
【図面の簡単な説明】
【０００６】
【図１】考案した、穴の開いた毛布の実施例である。
【符号の説明】
【０００７】１  毛布
２  穴
【図１】
0003142871.tif 000003
(57)【要約】      （修正有）【課題】歯列の三面を同時に磨くことができる、所謂全歯周歯ブラシのうち、安価で提供できる単一平板状の植毛基材に垂直に植毛し歯列を跨いで磨く歯ブラシに関し、歯列から歯ブラシが外れにくい、且つ歯や歯周ポケット、歯肉等を傷つけずに誰でも容易に早く磨き残しなく磨ける歯ブラシを提供する。【解決手段】植毛基材１の縦列植毛孔のうち、中央列１列又は２列の植毛孔の孔径を小さく、外側列植毛孔の孔径を大きく形成し、中央列植毛孔には４ミル位の細いフィラメントを植毛し６ｍｍ位にカットした後、平切り又は山切り型等の擦面加工を行い、次で外側列には一端がテーパード加工か、先端極細加工を施した側を他の一方の端より４〜５ｍｍ長く二つ折りして平線で留める。【選択図】図４
0003142875.tif 000002
【実用新案登録請求の範囲】
【請求項１】
手磨きの歯ブラシ、及び、軸方向に往復運動又は振動する植毛基材一面の歯ブラシにおいて、植毛孔を縦３列以上とし、その中央列１列又は２列の植毛孔と外側列の植毛孔の面積比を１対２位とし、中央列の植毛の高さを外側列の高さの約２分の１の高さとすることを特徴とする歯列を跨いで磨く歯ブラシ。
【請求項２】
手磨きの歯ブラシ、及び、軸方向に往復運動又は振動する植毛基材一面の歯ブラシにおいて、植毛孔を３列以上とし、その中央列１列又は２列の植毛束フィラメントと、外側列の植毛束のフィラメントとの断面積比を１対２位とし、中央列の植毛高さを外側列の植毛の高さの約２分の１の高さとすることを特徴とする歯列を跨いで磨く歯ブラシ。
【請求項３】
手磨きの歯ブラシ及び軸方向に往復運動又は振動する植毛基材一面の電動歯ブラシにおいて、植毛孔を縦３列以上とし、その中央列１列又は２列の植毛束の露出部の長さを１としたとき外側列の植毛束は一方端がテーパード加工した方を２倍とし、その反対側を１．５倍となるように折り返し植毛することを特徴とする歯列を跨いで磨く歯ブラシ。
【考案の詳細な説明】
【技術分野】
【０００１】  この考案は歯ブラシのうち、歯列の噛み合わせ面と、唇側、舌側の三面を同時に磨くことができる、所謂全歯周歯ブラシに関する。
【背景技術】
【０００２】  従来から全歯周歯ブラシに関する特許、実用新案の出願は多数あるが、その大部分は二面又は三面の植毛基材のなすＶ字、Ｕ字の内面に植毛するものか、単一の平面状の植毛基材に垂直に植毛し、中央列を短く刈り、歯列を跨ぐスペースを設ける方法が採られている。本考案は後者に属する。【０００３】  前者は二面又は三面の平板状のの植毛基材を、薄く可撓性のある連繋帯によって、一平面状に繋ぐ形で、熱可塑性合成樹脂を射出成型法で形成し、植毛後に植毛基材を所望の角度に固定するもので、主としてその固定方法が特許の対称となっている。これらの特許文献には
特開２００１−３４６６３号  特許出願公表昭６３−５０３２７６号
実用新案登録第３１２６０３２号  公開実用昭５５−１１８６２８号
等がある。【０００４】  単一の平板状の植毛基材に垂直に植毛し、中央列を外側列の植毛の長さの約半分に刈り込んだものの、文献には
公開実用昭５３−６１２６５号がある。
【考案の開示】
【考案が解決しようとする課題】
【０００５】  段落４歯ブラシは通常の歯ブラシの中央２列を約半分に刈り込んだ丈で進歩性に乏しいが新規性は認められるので、実験的に実施して１ヶ月位使用してみた。ペングリップで使い、抑える力を弱くして磨くとはずれ易く、はずれないように抑える力を増すとホーロー質を傷め易く、冷たい飲み物等は歯に滲みるようになった。外側列の毛先の処理法は書かれていないので、毛先が丸められているものを使用したが、長い毛先は歯周ポケットに深く進入し出血したり、歯肉を傷つけたりする弊害があった。【０００６】  本考案は前段落と同じ、製造原価が低廉な一平面の植毛基材で、植毛孔は平面に垂直に穿孔し、植毛する方法で上記の欠点を克服せんとする。
【課題を解決するための手段】
【０００７】  一面の植毛基材に垂直に植毛して、外れにくくするには、外側列の植毛孔を大きくして、ブリッスル束を大きくする方法と、フィラメントの硬さを硬くするか、フィラメントの太いものを使用する等の方法があるが、これらを複合して使用してもよい。【０００８】  中央列のブリッスル束を短く刈ると、ブリッスルは曲がりにくくなり歯ブラシの柄を同じ力で抑えても歯の表面を強く擦ることになる。この現象を克服するにはブリッスルの材質を柔らかくするか、細いフィラメントを使えば良い。
【考案の効果】
【０００９】  本考案の歯ブラシは二面又は三面の全歯周歯ブラシに比べ製造の初期費用が低廉で、製造も容易であるから廉価で提供し得ること、使用に際しては安全確実に且つ短時間で磨掃できる。モニターの使用例によれば、フィラメントの変形は少なく耐用期間は６ヶ月以上であること等、効果は多岐にわたる。
【考案を解決するための最良の形態】
【００１０】熱可塑性合成樹脂を射出成型法により、図１及び図２のような形態に形成し、本考案の枢要な部分である植毛基材１には植毛孔は図２のように縦３列又は４列とし（図では４列を示す）中央列植毛孔２は通常の歯ブラシと同様に深さ３粍、孔▲けい▼はやや細く１粍位とする。外側各列の植毛孔３は孔▲けい▼１．５粍位とし各列の間隔は１．３粍位とし、縦のピッチは２．８粍位とする。
【００１１】  上記のようにして得た歯ブラシ躯体は自動植毛機により先ず中央側の植毛を行い、植毛するフィラメントは４ミル以下位で露出部の長さは６粍位とし、先端は通常歯ブラシと同様に処理を行う。
【００１２】  次で外側列の植毛を行うが、フィラメントは７．５ミル位で１端テーパード加工のものを用い、さきぼそ側が１２粍位、切断側が８粍位の露出部になる図３のように植毛する。
【００１３】  このように植毛すると図４のようにさきぼその先端は歯周ポケットや歯肉を磨掃し、切断側は門歯や臼歯の側面を磨くことができる。
【００１４】  図５のように適宜に傾けて清掃すると、更に歯周ポケットを深く磨掃でき、歯肉も強くマッサージすることができる。
【図面の簡単な説明】
【００１５】
【図１】  本考案歯ブラシ躯体の正面図
【図２】  本考案歯ブラシ躯体の平面図
【図３】  図２の０−０断面図
【図４】  本考案の歯ブラシで６歳臼歯を清掃している模式図
【図５】  本考案の歯ブラシで３０°位傾けて６歳臼歯を磨掃している模式図
【称号の説明】
１植毛基材
２中央列植毛孔
３外側列植毛孔
【図１】
0003142875.tif 000003
【図２】
0003142875.tif 000004
【図３】
0003142875.tif 000005
【図４】
0003142875.tif 000006
【図５】
0003142875.tif 000007
(57)【要約】      （修正有）【課題】手軽に，効率的に利用できる写真入り名刺兼メッセ−ジカ−ドを提供する。【解決手段】名刺の表地に、花等の写真と名前や住所等の名刺機能を予め印刷する。また、名刺の裏地に、縦書きでも横書きでも曲がらずにメッセ−ジが記入できるよう格子状の線分（ガイドライン）を予め印刷する。【選択図】図２
0003142879.tif 000002
【実用新案登録請求の範囲】
【請求項１】
名刺サイズの紙を用いた写真入り名刺兼メッセ−ジカ−ドであり，
（１）表地には写真と氏名や住所を，裏地には縦横の格子状の線分を予め印刷しておく。
（２）裏地の格子状の線分は，メッセ−ジを記入する際，曲がらずに真っ直ぐ書けるようにするためのガイドラインを形成する。
（３）（２）の格子状の線分は，ガイドラインとしての目的を達成できる範囲で，できる限り薄い色で印刷する。
以上の構成からなる，裏地に，縦書きでも横書きでも，曲がらずに真っ直ぐ書けるようガイドラインとしての格子状の線分を設けたことを特徴とする名刺兼メッセ−ジカ−ド。
【考案の詳細な説明】
【技術分野】
【０００１】  この考案は、表地に花等の写真と名刺機能を印刷し、裏地には、格子状のメッセ−ジ記入欄を設けることにより，写真入り名刺機能とメッセ−ジカ−ド機能を合わせもつようにした写真入り名刺兼メッセ−ジカ−ドに関するものである。
【背景技術】
【０００２】  従来，名刺は単独に名刺としての機能しか持たされず、写真入りの名刺もあったものの、人物写真等であり，花等の写真と名刺の組合せは，見られなかった。
また、裏地に予め経歴等を印刷しておく例はみられるものの、メッセ−ジ記入用の格子状の線分（ガイドライン）を予め印刷したものはみられなかった。
このため、メッセ−ジが必要な場合は、名刺の余白部分を利用して記入していた。
【考案が解決しょうとする課題】
【０００３】  これらは，次のような問題点があった。
（１）表地に名前等の文字だけの名刺は、無味乾燥で相手に与える印象が薄かった。
（２）メッセ−ジが必要な場合等、余白部分を利用して記入することにより，ごちゃごちゃした名刺になり，相手に与える印象が悪かった。
本考案は，以上のような欠点をなくし，手軽に，効率的に使用できるようにしたものである。
【課題を解決するための手段】
【０００４】  （１）名刺の表地に、花等の写真と名前や住所等の名刺機能を予め印刷する。
（２）名刺の裏地に、縦書きでも横書きでも曲がらずにメッセ−ジが記入できるよう格子状の線分（ガイドライン）を予め印刷する。
【考案を実施するための最良の形態】
【０００５】  以下，本考案を実施するための最良の形態について説明する。
（１）名刺の表地に季節の花等の写真と名前や住所等の名刺機能を予め印刷する。この場合，写真は季節の花等をカラ−で印刷する。
（２）名刺の裏地に印刷するメッセ−ジ記入用の格子状の線分（ガイドライン）は、縦書きでも横書きでも曲がらずにきれいに記入できるようにしておく。
（３）名刺の使用者は、必要に応じて裏地のメッセ−ジ記入欄を利用する。
【考案の効果】
【０００６】  名刺の利用価値が増えている現在，相手に如何に印象付けるかが課題である。
個性的な名刺，爽やかな名刺により、相手に親近感を与えることが期待できる。
また，裏地のメッセ−ジ記入用の格子状の線分（ガイドライン）に沿って書かれたメッセ−ジは、相手に好印象を与えることが期待できる。
本考案の写真入り名刺兼メッセ−ジカ−ドは、１枚の名刺でメッセ−ジカ−ドも兼用できる。
さらに，この簡易スタンドの応用例としては，
（１）名刺としての使用のほか、表地に季節の花等の写真を印刷し、裏地にメッセ−ジ記入用の格子状の線分（ガイドライン）を印刷しておくことにより、花のメッセ−ジカ−ドとして利用することができる。
【図面の簡単な説明】
【０００７】
【図１】  本考案の写真入り名刺兼メッセ−ジカ−ドの正面図である。
【図２】  本考案の写真入り名刺兼メッセ−ジカ−ドの背面図である。
【符号の説明】
【０００８】
【図１】
0003142879.tif 000003
【図２】
0003142879.tif 000004
(57)【要約】【課題】  読書の際、本を机の上に置いて読む時にも、又、本を手の平に載せたり或は座ったり立ったりいろいろな体勢で読む時にも、ページを手で押さえることなく、本が閉じたりページが捲れたりすることを防ぐことができる重さを軽くした手軽なページ押え具の提供を課題とする。【解決手段】  クリップ１及びクリップ２及びクリップ３及びクリップ４を連絡バー５に並列に設ける。【選択図】図１
0003142878.tif 000002
【実用新案登録請求の範囲】
【請求項１】
クリップ１及びクリップ２及びクリップ３及びクリップ４を連絡バー５に並列に設けることを特徴とするページ押え具。
【請求項２】
前記クリップ１をこのクリップ１の上部及び下部をこのクリップ１の背部で繋いだ形状にし、さらに、前記クリップ２及び前記クリップ３及び前記クリップ４を前記クリップ１と同じ形状にすることを特徴とする請求項１記載のページ押え具。
【請求項３】
前記クリップ１の背部及び前記クリップ２の背部及び前記クリップ３の背部及び前記クリップ４の背部を前記連絡バー５に設けることを特徴とする請求項１又は２に記載のページ押え具。
【考案の詳細な説明】
【技術分野】
【０００１】  この考案は、読書の際、本が閉じたりページが捲れたりすることを防ぐことができるページ押え具の構造に関するものである。
【背景技術】
【０００２】  従来のページ押え具は、図４に示すように、本を机の上に置いて読む時に本に取り付けるものであり、このページ押え具本体の重さを必要とし、この重さを利用することでページ押え具として機能する構造のものである。
【実用新案文献１】
実開平０５−０８６５５６号公報
【考案の開示】
【考案が解決しようとする課題】
【０００３】  しかしながら、以上の技術によれば、重さの重いページ押え具では、本を机の上に置いて読む時に使用する場合は有効であるが、本を手の平に載せたり或は座ったり立ったりいろいろな体勢で読む時に使用する場合は不向きである。又、重さを軽くしたページ押え具では、本を机の上に置いて読む時に使用する場合でも、ページを手で押さえる必要があるので不向きである。
そこで、この考案は、本を机の上に置いて読む時にも、又、本を手の平に載せたり或は座ったり立ったりいろいろな体勢で読む時にも、有効に使用できる重さを軽くしたページ押え具を提供することを課題とする。
【課題を解決するための手段】
【０００４】  以上の課題を解決するために、第一考案は、クリップ１及びクリップ２及びクリップ３及びクリップ４を連絡バー５に並列に設けることを特徴とするページ押え具である。
【考案の効果】
【０００５】  第一考案によれば、連絡バー５で並列に繋いだクリップ１及びクリップ２及びクリップ３及びクリップ４を見開きの本の上方から本の左右両側に取り付ける構造のため、重さを軽くしたページ押え具では、本を机の上に置いて読む時に使用する場合に、又は、本を手の平に載せたり或は座ったり立ったりいろいろな体勢で読む時に使用する場合に、ページを手で押えることなく、本が閉じたりページが捲れたりすることを防ぐことができる。
【考案を実施するための最良の形態】
【０００６】  この考案の一実施形態を、図１又は図２又は図３に示す。
クリップ１の背部及びクリップ４の背部を連絡バー５の左右両端に並列に設け、さらに、クリップ２の背部及びクリップ３の背部を連絡バー５のクリップ１とクリップ４の間に並列に設ける。又、クリップ１をこのクリップ１の上部及び下部をこのクリップ１の背部で繋げ、この上部と下部を平面とするとともにこの上部と下部を合わせて挟む形状にし、さらに、クリップ２及びクリップ３及びクリップ４をクリップ１と同じ形状にする。そして、クリップ１及びクリップ２及びクリップ３及びクリップ４及び連絡バー５を一枚の平板で一体として設ける。【０００７】「実施形態の効果」
この実施形態によれば、見開きの本の上方から本の左右両側の途中ページにクリップ２及びクリップ３を任意に差し込んで複数ページを挟むとともに、クリップ２及びクリップ３の上にある残りの複数ページをクリップ１及びクリップ４で挟む構造であり、又、クリップ１及びクリップ２及びクリップ３及びクリップ４のそれぞれの背部が連絡バー５で並列に繋がれているため、ページを手で押えることなく、クリップ１及びクリップ２及びクリップ３及びクリップ４のクリップ４個で本が閉じるのを防ぎ、さらに、クリップ１及びクリップ４でページが捲れるのを防ぐことができる。
又、クリップ１及びクリップ２及びクリップ３及びクリップ４のそれぞれの上部と下部が平面であり、それぞれの上部と下部を合わせて複数ページを挟む形状のため、本の途中ページに容易に差し込んで複数ページを挟むことができ、読み終えたページをクリップ１又はクリップ４から容易に抜き取って捲り、そして、クリップ１又はクリップ４に容易に差し込んで挟むことができ、次々に読み進めることができる。
クリップ１及びクリップ２及びクリップ３及びクリップ４及び連絡バー５を一枚の平板で一体として設けることで、簡素で手軽なページ押え具となる。
重さを軽くしたページ押え具で有効に機能するため、本を机の上に置いて読む時だけでなく、本を手の平に載せたり或は座ったり立ったりいろいろな体勢もしくはいろいろな場所で本を読む時にも有効に使用できる。
本の途中ページに差し込む構造のため、どんな本にでも使用できる。
それぞれのクリップの背部が連絡バー５に繋がれているため、本の途中ページに差し込まれたページ押え具は、本に密着し、本からはみ出す部分が少ない。
読書後、閉じた本の横から読むべき途中ページに差し込んで複数ページを挟み、しおりとしてそのまま本に取り付けておくことができる。
【図面の簡単な説明】
【０００８】
【図１】この考案の一実施形態を示した斜視図である。
【図２】この考案の一実施形態を示した右側面図である。
【図３】この考案の一実施形態を示した斜視図である。
【図４】従来技術を示した斜視図である。
【符号の説明】
【０００９】１クリップ
２クリップ
３クリップ
４クリップ
５連絡バー
【図１】
0003142878.tif 000003
【図２】
0003142878.tif 000004
【図３】
0003142878.tif 000005
【図４】
0003142878.tif 000006
(57)【要約】      （修正有）【課題】尖足に陥りそうな下肢障害者に予防的に装着する事により、足首の角度を健常者と同じ様な角度に保つ事が出来る尖足防止ベルトを提供する。【解決手段】スポンジラバーベルトに、面ファスナー２を表裏（フック面とループ面）に貼り付け、足の裏と脛の下部を該スポンジラバーベルト１により足首が伸びない様に固定し、該面ファスナーでスポンジラバーベルト１の両端を締結する。該尖足防止ベルトを装着する事により下肢不自由障害者の足首を他動的に固定する事により足首の角度を自在に保つ事を出来る。【選択図】図１
0003142864.tif 000002
【実用新案登録請求の範囲】
【請求項１】
スポンジラバーベルトに面ファスナーを表裏（フック面とループ面）に貼り付け、足首の角度を固定することにより下肢障害者によく見られる尖足を予防する為に考案したベルトです。
【考案の詳細な説明】
【技術分野】
【０００１】  本考案は下肢障害者用の尖足を予防する自助具である。
【背景技術】
【０００２】  既存の尖足防止方法は煩雑な自助具、若しくは箱等を置く事により尖足防止をする方法しか存在せず、下肢障害者本人でも、介護者でも装着が簡単で、軽量で持ち運び可能な物は無かった。
【考案の開示】
【考案が解決しようとする課題】
【０００３】  下肢不自由な障害者が尖足になってしまう事を予防する為に考案した物である。
【課題を解決するための手段】
【０００４】  足関節が伸びてしまい、足首の角度が伸びてしまわない様に当該ベルトを装着して他動的に自在な角度に曲げ、それを持続可能である。
【考案の効果】
【０００５】  尖足を予防する為に柔らかいスポンジラバー状のベルトを巻き付け、面ファスナーで固定する事により足首が伸びない様にする。
【考案を実施するための最良の形態】
【０００６】  足の裏と脛の下部を当該品で巻きつけ足首が伸びない様に固定する。
【実施例】
【０００７】  尖足の説明、尖足（せんそく）とは（尖足の説明）足関節が足底のほうへ屈曲した位置に拘縮したものを尖足といいます。歩くとき、かかとを地面につけることができずに、足先で歩くような状態になります。この変形の原因として、脳性小児麻痺や脳卒中などからくる下腿後面の筋肉のけいれん（痙直性尖足）や脊髄性小児麻痺でみられる下腿前面の筋肉の麻痺（麻痺性尖足）、長期にわたる病臥中の足の重みや掛け布団の圧迫（習慣性尖足）などがあります。また、片方の下肢が短いとき、それを補うために尖足になることもあります。
【産業上の利用可能性】
【０００８】  下肢障害を持つ人の尖足を予防する事ができる
【図面の簡単な説明】
【０００９】
【図１】  「尖足予防ベルトを示した表面図である。」
【図２】  「尖足予防ベルトを示した裏面図である。」
【図３】  「尖足予防ベルトを装着図である。」
【符号の説明】
【００１０】１  スポンジラバーベルト
２  面ファスナー、フック面
３  面ファスナー、ループ面
【図１】
0003142864.tif 000003
【図２】
0003142864.tif 000004
【図３】
0003142864.tif 000005
(57)【要約】      （修正有）【課題】コアの周囲をモールド形成することでギャップを一定に保ちつつ透磁率の高い鉄心ができるようにしたカレントトランス用コアを提供する。【解決手段】磁性材料から成る環状鉄心にギャップを設け、このギャップ部に必要ギャップ厚さの非磁性片を挿入して構成するコアにおいて、このコアの周囲を樹脂でモールド成形した。【選択図】図２
0003142861.tif 000002
【実用新案登録請求の範囲】
【請求項１】
磁性材料から成る環状鉄心にギャップを設け、このギャップ部に必要ギャップ厚さの非磁性片を挿入して構成するコアにおいて、当該コアの周囲を樹脂でモールド成形したことを特徴とするカレントトランス用コア。
【考案の詳細な説明】
【技術分野】
【０００１】本考案はカレントトランス用コアに関し、コアの周囲をモールド成形することでギャップを一定に保ちつつ透磁率の高い鉄心ができるようにしたものである。
【背景技術】
【０００２】鉄心にギャップを設ける際に、完全に切り離してしまうのではなく、切り残し部を設けることにより鉄心を一体化したものはある。
【考案の開示】
【考案が解決しようとする課題】
【０００３】飽和の遅い鉄心を造ろうとした場合、鉄心の磁路の一部にギャップを設けるが、この場合鉄心が裁断されてしまう為ロスが発生するので、ギャップは極力少ないことが望ましい。しかし、現状の生産技術ではカットの刃がもたない等、量産が難しく、またギャップを一定に保ち難い。
【課題を解決するための手段】
【０００４】磁性材料から成る環状鉄心にギャップを設け、このギャップ部に必要ギャップ厚さの非磁性片を挿入して構成するコアにおいて、このコアの周囲を樹脂でモールド成形した。
【考案の効果】
【０００５】ギャップを有するコアの中でも、ロスの少ない透磁率の高い鉄心ができる。
【図面の簡単な説明】
【０００６】
【図１】本考案の正面図である。
【図２】本考案の内部構成を示す断面図である。
【符号の説明】
【０００７】１    コア
２    モールド
３    非磁性片
４    ギャップ
【図１】
0003142861.tif 000003
【図２】
0003142861.tif 000004
(57)【要約】      （修正有）【課題】霧吹き器具本体を傾けることなく、下向き、上向きにも噴霧することが出来、空吹きを無くし、内容液等の完全使用が可能となる可変ノズルを提供する。【解決手段】霧吹きの先端部分約３〜５センチを、内側チューブ部分は耐久性のあるゴム、ナイロン、または軟質プラスチック等適宜素材を用い、筒状のチューブで構成され、其れを覆う様に外側部分をプラスチック等適宜素材を用い、断面が四角形以上のジャバラ構造とし、上向き、下向き、左右、最低４方向性以上を齎し、最大角度は４５度以上とすればあらゆる場面においてカバー出来る。霧吹き器具本体のボトル部分、ハンドル部分、内部チューブ、ばね等は従来のままで使用する。【選択図】図１
0003142863.tif 000002
【実用新案登録請求の範囲】
【請求項１】
霧吹き器具の噴出し口ノズル部分に、ジャバラ式の方向可変部品を設け、霧吹き器具本体を傾けることなく、上下左右に噴霧できることを特徴とするジャバラ式可変ノズル
【考案の詳細な説明】
【技術分野】
【０００１】本考案は、霧吹き器具の噴出し部分にジャバラ式の可変ノズルを設けた、霧吹き器具に関するものである。
【背景技術】
【０００２】従来、霧吹き器本体を傾け、下向き又は上向きに使用していた。
【考案の開示】
【考案が解決しようとする課題】
【０００３】霧吹き器本体を下向き又は上向きにして噴霧すると、内容量の減少に伴い、空吹きを起こし、内容量の完全使用が困難になる。また洗剤等の使用時に上向きに使用すると、使用者が本体の真下に位置するため、吹き返し、又は吹き零れに遭う危険性がある。
【課題を解決するための手段】
【０００４】本考案は、霧吹き器具の噴出し口の部分にジャバラ式の方向可変器具を取り付けることにより霧吹き器具本体を傾けることなく、下向き、上向きにも噴霧することが出来、空吹きを無くし、内容液等の完全使用が可能となり、又、器具本体の真下にもなる事無く、問題点を解決している。
【考案の効果】
【０００５】上述の様に、可変ノズルを使用することにより、特に、家庭用洗剤等の天井等への使用時に自己への吹き返りの減少となり、安全性の向上ともなり、何より内容量の完全使用が出来、普及率は飛躍的に伸びると思われる。
【考案を実施するための最良の形態】
【実施例】
【０００６】霧吹きの先端部分約３〜５センチを、内側チューブ部分は耐久性のあるゴム、ナイロン、または軟質プラスチック等適宜素材を用い、筒状のチューブで構成され、其れを覆う様に外側部分をプラスチック等適宜素材を用い、断面が四角形以上のジャバラ構造とし、（円形では角度を変えたとき、形状が持続せず元に戻る。）上向き、下向き、左右、最低４方向性以上を齎し、最大角度は４５度以上とすればあらゆる場面においてカバー出来る。霧吹き器具本体のボトル部分、ハンドル部分、内部チューブ、ばね等は従来のままで使用する。
【図面の簡単な説明】
【０００７】
【図１】  ジャバラ式可変ノズル付の霧吹き器具全体の側面図。
【図２】  本考案のジャバラ式ノズルの一部切欠断面図。
【図３】  可変時のジャバラ式ノズルの一部切欠断面図。
【符号の説明】
【０００８】  １    本体ボトル
２    霧吹き本体
３    ハンドル
４    吸い上げ用チューブ
５    ジャバラ式可変ノズル
６    霧吹き調節口
７    ジャバラ内部軟質チューブ
【図１】
0003142863.tif 000003
【図２】
0003142863.tif 000004
【図３】
0003142863.tif 000005
(57)【要約】      （修正有）【課題】腹式呼吸をしやすく、かつ自然に逆腹式呼吸が可能なため、より良い演奏（行動）ができるようになり、かつ着脱容易な丹田押圧部材を提供する。【解決手段】丹田部押圧具１は、ズボンのバンド２や市販のゴムバンド２（両面接着テ一プ付き）に丹田押圧部材３を着脱可能に取り付けたもの。丹田押圧部材３は高さが指の先から第二関節程度までの大きさとする。該丹田押圧部材は、腰バンドなどで装着するものとしたので、簡単に装着できる。【選択図】図１
0003142866.tif 000002
【実用新案登録請求の範囲】
【請求項１】
腰バンドと、このバンドに着脱可能に取り付けた丹田部押圧部材とよりなり、前記押圧部材は高さが指の先から第二関節程度までである丹田部押圧具。
【請求項２】
高さが指の先から第二関節程度まである丹田部押圧部材と、この押圧部材をズボンのバンドに掛止する、同部材に設けた掛止具とよりなる丹田部押圧具。
【考案の詳細な説明】
【技術分野】
【０００１】  本考案は、上手な演奏を可能にする丹田部押圧具に関する。
【背景技術】
【０００２】  従来より上手な演奏を可能にする方法として腹式呼吸が知られている。この呼吸は、腹をふくらまして呼吸する方法である。しかしこの呼吸は横隔膜を充分支えきれないので、演奏が充分にうまくいく訳ではない。この問題を基本解決するのが本発明の課題である。
【考案の開示】
【考案が解決しようとする課題】  従来の腹式呼吸は横隔膜を十分支えきれないので、演奏が十分にうまくいかない。この問題を解決するのが本発明の課題である。
【課題を解決するための手段】  上記課題を解くための本考案に係る丹田部押圧具は、次の（１）及び（２）に記載のものである。
（１）腰バンドと、このバンドに着脱可能に取り付けた丹田部押圧部材とよりなり、前記押圧部材は高さが指の先から第二関節程度までである丹田部押圧具。
（２）高さが指の先から第二関節程度まである丹田部押圧部材と、この押圧部材をズボンのバンドに掛止する、同部材に設けた掛止具とよりなる丹田部押圧具。【０００３】  ベルトを有する丹田部押圧具であって、臍下、腹直筋を押圧すると上半身が広く深くなり呼吸が楽になるとともに何事にも行動しやすくなり且つ無駄な力がぬける丹田部押圧具である。脱着自在な止め具を使用して何時でもどこでも使用できる便利グッズである。洋服の上から脱着出来る丹田部押圧具である。演奏会本番でも丹田部押圧具は装着可能である。【０００４】押圧部材は高さが指の第二関節程度である（ちょうど手で押圧した時と同じ状態）。丹田部押圧具は長時間装着していてもストレスを感じない丹田部押圧具である。従来の腹式呼吸具と比べて非常に軽く装着も簡単、丹田ツボを的確に押圧することが可能である。装着した時点から効果てきめん演奏が変わり、演奏するのが楽しくなる。
【考案の効果】
【０００５】本考案に係る丹田部押圧具は、上述したように、丹田押圧部材を腹部にあてるようにして装着することにより、腹式呼吸をしやすくし、自然に逆腹式呼吸ができるようにすることができる。丹田部押圧具は構造が単純であることから、取り付け、取り外しが簡単で、簡便に使うことができるとともに、簡単に製作して使用できる等の効果がある。
丹田部押圧具は必要に応じ容易に時と場所を選ばず装着、脱着できると共に携帯でき、車中や演奏会場等々どこでも使用可能であり、しかも容易、且つ安価に製造できる。
従来の腹式呼吸具にくらべて、的確に丹田ツボを押圧、装着した時点から効果があり演奏（行動）が変わる。
丹田部押圧具は、丹田押圧部材を、丸く形成して違和感がないようにする。
丹田押圧部材の幅、高さは、（人差し指、中指、薬指）を合わせた状態の幅、そして丹田部押圧具の高さは指の先から第二関節程度の高さである。姿勢（座位、立位）が良くなり息も十分吐くことが出来る状態の形状にする。
丹田部押圧具を装着することにより身体全体が共鳴体となり、身体全体を響かせ演奏（行動）することが出来る。
【考案を実施するための最良の形態】
【０００６】
【０００７】以下、本考案に係る丹田部押圧具の好適な実施例について添付図を参照しながら詳細に説明する。
図１、図２は実施例１，２の丹田部押圧具の斜視図、  本実施形態の丹田部押圧具１は、ズボンのバンド２や市販のゴムバンド２（両面接着テ一プ付き）に丹田押圧部材３を着脱可能に取り付けたものである。
丹田押圧部材３は高さが指の先から第二関節程度までの大きさのものである。なお５，６は接着布である。【０００８】腹式呼吸では腹壁をふくらませたり、へこませたりするので、丹田押圧部材３を装着した状態でベルト（ズボンのバンド２、市販のゴムバンド２）の締め具合を調節する。このときあまり締めすぎないことが大事なポイントである。【０００９】以上、説明した丹田押圧具を使う場合は以下のようにする。
まず、丹田部押圧具１を装着する際は同押圧部材３が丹田にあたるようにして装着する。丹田は臍よりも下側の位置であって、このように腹部の下側にあてるようにすることが重要である。また、丹田部押圧具１を装着する際には、これで丹田を押さえつけるようにある程度ベルト（ズボンのバンド２や両面接着テ一プ付きゴムバンド２）で締めるようにする。ある程度締めるようにしても苦しいことはなく、腰がしっかり支持されて姿勢が正され、呼吸しやすく、より良い演奏（行動）ができる。【００１０】  丹田部押圧具１は、特に違和感を感じなければ、就寝時に装着したままでも逆腹式呼吸を習慣化させるうえで有効である。就寝中に身体が動く程度のことは丹田押圧具１には全く問題にならない。呼吸法では息を吐くことが重要である。丹田部押圧具１は息を吐くことを助け、深い呼吸ができるようにして逆腹式呼吸を促進させることが出来る。【００１１】丹田部押圧具１は長時間装着していても苦にならないから、装着しているだけで自然と腹式呼吸が促され、丹田部押圧具１を外しても自然に逆腹式呼吸ができるようになる。
丹田部押圧具１は腹式呼吸を身に付けることで酸素（空気）が十分吸えるので健康増進に役立ち疲労回復の効果を得ることができる。また子供に装着させることによって集中力が増し落ち着きが増すという効果がある。また倍の息、倍の心意気で演奏もよりいっそう向上することが出来る。【００１２】呼吸法では息を吐くことが重要である。丹田部押圧具１を装着しておくことで、呼吸を深くし、喘息の患者にも良い効果が得られる（呼吸を楽にして症状を改善する効果が大である。）
図３は、実施例３の丹田部押圧具である。この押圧具７は、上記丹田押圧部材３に、これをズボンのバンドに掛止するための掛止具８を取り付けたものである。その機能は実施例１，２のそれと同じである。
【図面の簡単な説明】
【００１３】
【図１】実施例１に係る丹田部押圧具の斜視図である。
【図２】実施例２に係る丹田部押圧具の示す斜視図である。
【図３】実施例３に係る丹田部押圧具の斜視図である。
【符号の説明】
【００１４】１、７  丹田部押圧具
２  バンド
３  丹田押圧部材
４  バックル
５  雄型接着布
６  雌型接着布
８  掛止フック
【図１】
0003142866.tif 000003
【図２】
0003142866.tif 000004
【図３】
0003142866.tif 000005
(57)【要約】【課題】ＢＢ玉を撃ちだす時のコントロールに応用でき、高圧気体を浪費する問題を解決できる電子コントロール装置を提供する。【解決手段】銃身１は、中空であって弾丸の当て穴１１につながっている。弾丸の当て穴１１にはセンサー６が設置され、センサー６は電気的にコントロールのユニット４に接続している。引き金２はスイッチ３に対応し、スイッチ３も電気的にコントロールのユニット４に接続している。コントロールのユニット４は電気的に電磁閥５に接続し、電磁閥５は銃身１への高圧気体の供給をコントロールする。引き金２によってスイッチ３を触発し、センサー６からＢＢ玉を探測し、コントロールのユニット４に信号を出し、コントロールのユニット４から電磁閥５をスタートして高圧気体を供給する。【選択図】図１
0003142223.tif 000002
【実用新案登録請求の範囲】
【請求項１】
銃身、引き金、スイッチ、コントロールユニット、電磁閥及びセンサーを含み、前記銃身は中空であって弾丸の当て穴につながり、前記弾丸の当て穴にはセンサーが設置され、前記センサーは電気的に前記コントロールユニットに接続し、前記引き金は前記スイッチと対応し、前記スイッチは電気的に前記コントロールユニットに接続し、前記コントロールユニットは電気的に前記電磁閥に接続し、前記電磁閥は前記銃身への高圧気体の供給をコントロールし、前記引き金によって前記スイッチを入力し、前記センサーからＢＢ玉を探測し、直ちに前記コントロールユニットに信号を出し、前記コントロールユニットから前記電磁閥をスタートして高圧気体を供給させることを特徴とする電子コントロール装置。
【考案の詳細な説明】
【技術分野】
【０００１】
本考案は、電子コントロール装置に関し、特に、ＢＢ玉を撃ちだす時のコントロールに応用する電子コントロール装置に関する。
【背景技術】
【０００２】
従来のＢＢ玉銃は、スプリングによってＢＢ玉を撃ち出す。しかし、高圧気体を利用して撃ち出した方が比較的効果が良くなる。そして、何れの機械式或は気圧式でＢＢ玉を撃ち出す方式にも、未だにＢＢ玉を撃ちだす時の電子コントロール装置は見られない。
現在のＢＢ玉の撃ち出しをコントロールする方式では、ただ引き金をコントロールすれば、撃ち出すことができる。べつに銃身内にはＢＢ玉があるかどうかを探測していないため、空撃ちになることが多く、更なる多くの騒音を作り出すだけではなく、高圧気体をも浪費し、撃ち出しのコントロール効率はきわめて悪い。
【考案の開示】
【考案が解決しようとする課題】
【０００３】
本考案の目的は、ＢＢ玉を撃ちだす時のコントロールに応用する電子コントロール装置を提供し、よって、気圧式ＢＢ玉銃が常に空撃ちされ、高圧気体を浪費する問題を解決する。
【課題を解決するための手段】
【０００４】
本考案が提供する電子コントロール装置は、銃身、引き金、スイッチ、コントロールユニット、電磁閥及びセンサーを含む。銃身は、中空であり、しかも弾丸の当て穴につながり、弾丸の当て穴にはセンサーが設置されている。センサーは、電気的にによりコントロールユニットに接続する。引き金はスイッチに対応して、スイッチも電気的にコントロールユニットに接続する。コントロールユニットは、別に電気的に電磁閥に接続する。電磁閥は、銃身への高圧気体の供給をコントロールする。そして、引き金によってスイッチを入力する。センサーからＢＢ玉を探測してから直ちにコントロールユニットに信号を出す。それから、コントロールのユニットから電磁閥をスタートして高圧気体を供給する。
【０００５】
本考案は、下記の長所を有する。
１．撃ち出す効率が高い。センサーがちょうどＢＢ玉を探測すれば、必ず撃ち出す。
２．高圧気体を浪費しない。空撃ちにならない。
３．操作が便利である。消費者は、手で引き金を押せばいい。
４．ＢＢ玉の撃ち出し時間間隔を短縮する。連続撃ち出しのスピードが速い。
５．使用する時の楽しさを高める。
【考案を実施するための最良の形態】
【０００６】
まず、図1に示すように、本考案の一実施形態による電子コントロール装置は、銃身１、引き金２、スイッチ３、コントロールユニット４、電磁閥５及び感応器６を含む。銃身１は、中が中空であり、しかも弾丸の当て穴１１につながっている。弾丸の当て穴１１の所にはセンサー６が設置してあり、センサー６は電気的にコントロールユニットに接続する。引き金２はスイッチ３に対応し、スイッチ３も電気的にによってコントロールのユニット４に接続している。コントロールユニット４から他に電磁閥５に接続する。電磁閥５は、高圧気体を銃身１に供給することをコントロールする。
【０００７】
図２から図３は、本実施形態がＢＢ玉７を撃ち出す時の操作を示す。同時に、図４を参照すると、操作の流れを理解することに役立つ。まず図２に示すように、引き金２を引いてスイッチ３を触発する時、直ちにセンサー６から弾丸の当て穴１１にＢＢ玉７があるかどうかを探測する。いったんＢＢ玉７があれば、直ちにコントロールのユニット４に信号を出し、それから、コントロールのユニット４から電磁閥５をスタートさせて銃身１へ高圧気体を供給する。そして、図３に示すように、高圧気体でＢＢ玉７を撃ち出す。
【０００８】
また、もし使用者が引き金２を押したまま放さないなら、コントロールのユニット４はずっとセンサー６の探測によって電磁閥５をコントロールする。センサー６がＢＢ玉７を感知すると、電磁閥５は直ちに銃身１を開けて高圧気体を供給させ、更に、ＢＢ玉７を撃ち出す。したがって、もしＢＢ玉７を連続して銃身１の弾丸当て穴１１の所まで供給するならば、連続して撃ち出させることができる。
【図面の簡単な説明】
【０００９】
【図１】本考案の一実施形態によるコントロール装置を示す断面図である。
【図２】本考案の一実施形態によるコントロール装置の操作を示す断面図である。
【図３】本考案の一実施形態によるコントロール装置のＢＢ玉を撃ち出す時の操作を示す断面図である。
【図４】本考案の一実施形態によるコントロール装置の操作のフローチャートを示す図である。
【符号の説明】
【００１０】
１：銃身、２：引き金、３：スイッチ、４：コントロールユニット、５：電磁閥、６：センサー、７：ＢＢ玉、１１：弾丸当て穴
【図１】
0003142223.tif 000003
【図２】
0003142223.tif 000004
【図３】
0003142223.tif 000005
【図４】
0003142223.tif 000006
(57)【要約】      （修正有）【課題】チリトリ部に集めたゴミを連続して直通に袋に収納するゴミ収納袋連結チリトリを提供する。【解決手段】チリトリの奥の部分に排出口を開けて、ゴミ収集袋を着脱できる連結部分を設けゴミ収納袋を装着して、チリトリ部と袋を連結一体化することにより、作業中用具を持ち替えることなく、利便性と大幅な能率向上になる。【選択図】図１
0003142222.tif 000002
【実用新案登録請求の範囲】
【請求項１】
箱状のチリトリの奥底部を開口し、その外周部にゴミ収納袋のずれ防止の連結凸部を設けて、専用ゴミ収納袋を装着し、清掃時にチリトリ内に収集した塵壌を、逐次袋に移行出来るゴミ収納袋連結チリトリ。
【考案の詳細な説明】
【技術分野】
【０００１】
本考案は、前部後部を開口した箱状のチリトリに、専用のゴミ収納袋を連結した、清掃用具に関するものである。
【背景技術】
【０００２】
従来清掃時には、箒（又は熊手）、チリトリ、ゴミ袋、の３点用具を持ち替えて、ゴミがチリトリ満杯になる毎に、袋を開けて投入していた。
【考案の開示】
【考案が解決しようとする課題】
【０００３】
しかしながら、清掃中３点の用具を頻繁に持ち替えながら、たび毎にチリトリから塵壌を袋に移す作業は甚だ手間がかかり、特に多量の落葉（量）、狭い植込の間（場所）、風のある時（状況）、等に於いては、能率が悪く、きわめて作業がしにくい問題点がある。
【課題を解決するための手段】
【０００４】
本考案はこの問題を解決しようとするもので、チリトリ部に集めたゴミを連続して直通に袋に収納することを目的として、チリトリと収納袋の連帯構造器を提供するものである。
【０００５】
本考案はチリトリの奥底部分に排出口を開け、専用ゴミ収納袋が着脱できる連結部を備え、ゴミ収納袋を其の部分に連結して使用するものである。
【考案の効果】
【０００６】
以上のように、チリトリと袋を一連化したことにより、掃除中、持ちかえ入れ替えの事が無くなり、作業が容易になり、大幅な時間短縮により能率が向上した。
【考案を実施するための最良の形態】
【０００７】
チリトリ本体部は、一般的のものより底板の奥行を浅くし、側面と上面をひろげた箱型形状にして、奥部はゴミを収納袋に落とし移し入れるために排出口を開け、その外周には袋の脱落を防止の凸部を配置する。専用収納袋はその凸部に締結し、ゴミが満杯時下部開閉口より排出する。別に雨水防止用の蓋をつける。使用休止期間は、雨水防止の外蓋をして底板のフック穴を用い、連結してある袋ごと屋外に吊り下げ保管する。
【実施例】
【０００８】
以下、添付図面に従って実施例を説明する。１は熱可塑性プラスチックで成形されたチリトリ本体で、２の持ち手部分は重心をやや前方に配置し塵挨が袋に落ち込みやすくする。３はゴミが袋に移る排出口である。４は連結する袋を締める紐のはずれ防止の凸部である。５は底面部には吊り下げ用フックの穴を設ける。６は専用のゴミ収納袋は下部に、７は開閉口がありゴミが溜まると市販の袋に排出して移す。又、市販の袋を直接連結して使用することも出来る。８は袋をチリトリ本体に結び付ける紐である。９は保管中の外蓋である。
【図面の簡単な説明】
【０００９】
【図１】本考案のゴミ収納袋連結チリトリの立体図である。
【図２】本考案のゴミ収納袋連結チリトリの実施例を示す断面図である。
【符号の説明】
【００１０】
１  チリトリ本体              
２  持ち手                      
３  排出口部                    
４  凸部                        
５  底面のフック穴
６  専用ゴミ収納袋
７  開閉口
８  結びつける紐
９  外蓋
【図１】
0003142222.tif 000003
【図２】
0003142222.tif 000004